(57)【特許請求の範囲】
【請求項１】
透光材よりなり板状の形状をなし、第１の主面を出光面とし、該第１の主面と対向する第２の主面に光拡散手段を設けた導光部材と、該導光部材の側面に近接して配した光源とを有するエッジライト方式の面状光源ユニットにおいて、
前記導光部材に前記光源の出射光を屈折、反射する機能を有する１個の厚み方向にくぼんだ前記第１の主面に開口を有する盲穴を設け、前記盲穴の平面形状は前記光源から見て左右対称となる略逆三角形状であり、前記光源を、前記逆三角形の２つ等辺のなす頂点と対向する位置であって、前記導光部材の平面形状を略四角形とし、そのコーナーに近接して設け、かつ、前記光源と対向する部分の前記導光部材の両側に前記導光部材の厚み方向に略平行な略円弧状の溝よりなる反射部を設けたことを特徴とする面状光源ユニット。
【請求項２】
前記略逆三角形状の盲穴の前記光源に面する２辺は放物面の一部により形成されていることを特徴とする請求項１に記載の面状光源ユニット。
【請求項３】
前記盲穴の底面は前記導光部材の下面に対し傾斜し、前記盲穴の深さは前記光源からの距離に応じて深くなるように設定されていることを特徴とする請求項１又は２に記載の面状光源ユニット。
【請求項４】
前記光源からの光は、前記盲穴の前記光源に面する２辺の放物面により反射して左右に振り分けられ前記反射部の反射屈折を経る第１のルートと、前記盲穴の底面の下側の前記導光部材のバイパス部を経る第２ルートと、前記盲穴の左右を経る第３のルートとを有し、前記３つのルートの光の量の割合を前記盲穴の左右の幅、深さ、前記バイパス部の厚みの比率により設定するようにしたことを特徴とする請求項１、２又は３に記載の面状光源ユニット。
【請求項５】
前記導光部材の第２の主面の少なくとも一部は前記第１の主面に対し傾斜し、前記光源より遠ざかるに従って導光部材の厚みが減少することを特徴とする請求項１乃至請求項４のいずれかに記載の面状光源ユニット。
【発明の詳細な説明】
【０００１】
【発明の属する技術分野】
この発明は、透過型又は半透過型パネルを背面より照射するバックライト機構を有する表示装置の面状光源ユニットに関する。
【０００２】
【従来の技術】
近年、ブック型のワードプロセッサやコンピュータ、又は携帯電話器、携帯ＴＶのような小型、薄型の情報機器の表示装置として、薄型でしかも見易いバックライト機構を有する液晶表示装置が用いられている。このようなバックライト機構としは、液晶パネルを背後から全面にわたり照射する面状光源が用いられており、この面状光源としては線状の発光源である蛍光ランプと、その光束を液晶パネルを照射する面状の光束に変換する導光板よりなるものが一般的であったが、近年、更なる薄型と長寿命化を目的として線状の発光源として蛍光ランプの代わりに複数のＬＥＤ（発光ダイオード）を一列に配列したものが用いられるようになってきた。
【０００３】
図９および図１０はこのような従来のバックライト機構の一例として、ＬＥＤ（発光ダイオード）アレイ光源を持つエッジライト方式のパネル用の面状光源ユニットを示す図であり、図９は斜視図、図１０はその断面図である。図９および図１０において、１１０は面状光源ユニットであり、導光部材１０１と光源として線状に配列した複数個のＬＥＤ１０２を有している。導光部材１０１は透明なプラスチック材等の透光部材よりなる板状で略直方体形状をしており、その一方の広い面を光出射面１０１ｂとし、該光出射面１０１ｂと対向する面には、光源からの光を対向する前記光出射面に向けて反射させるための手段として、その表面に複数の微小なシボ又は複数個の点状ドット等の光拡散面１０１ａが形成されている。
【０００４】
更に、前記光拡散面１０１ａに近接して白色シート等の反射板１０３を配設する。ＬＥＤ１０２から放射する光は導光体１０１に入り、大部分の光は上面（光出射面）１０１ｂでは全反射、下面では全反射又はシボもしくは点状ドット等の光拡散面１０１ａによる散乱を１回又は複数回行った後に上面より外部へ出射する。この際一部の光は下面を透過して反射板１０３に入射するが、ここで反射されて再び導光部材１０１に入り、直接に又は反射を経た後に上面より外部に出射することになる。外部に出射した光は、液晶パネル１０７を透過し照明する。前記照明する面内の輝度の均一性を確保するために上記下面内のシボの粗さを調整したり、点状ドットの形状、密度を場所により変えたりしていた。
【０００５】
【発明が解決しようとする課題】
しかしながら、前述した面状光源ユニットには次のような問題点がある。すなわち、シボの粗さを調整したり、点状ドットの形状、密度を場所により変えたりすることにより照明の面内の輝度のある程度の均一性を調整することはできるが、これにも限度があり、導光部材の側面の一辺から放射される光はある程度の均一性を持った線状光源である必要があり、それを実現するためにはＬＥＤ等の点光源を複数配列させ線状光源に近似するようにせざるを得ない。すなわち、ＬＥＤが１個だけであると、その指向性のため、発光の強さはその方向により大幅に変化するので、その影響がどうしても照明光の輝度の不均一な分布として現れ、均質な照明が不可能となる。よって、多数のＬＥＤが必要となり、コストアップ、消費電流の増大を招くという問題があった。
【０００６】
本発明は従来技術における前記の問題点を改善することを課題とするものである。そして本発明は、かかる課題を解決し、エッジライト方式の面状光源ユニットにおいて光源として点光源に近い１個又は少ない個数のＬＥＤを用い、均一な面状の光束を出射することができるようにすることを目的とする。これにより、照明光が均一であり、且つ、光源のコストおよび消費電力の低減がなされた、安価な面状光源ユニットを提供することが可能となる。
【０００７】
【課題を解決するための手段】
上記の課題を解決するためにその第１の手段として本発明は、透光材よりなり板状の形状をなし、第１の主面を出光面とし、該第１の主面と対向する第２の主面に光拡散手段を設けた導光部材と、該導光部材の側面に近接して配した光源とを有するエッジライト方式の面状光源ユニットにおいて、前記導光部材に前記光源の出射光を屈折、反射する機能を有する１個の厚み方向にくぼんだ前記第１の主面に開口を有する盲穴を設け、前記盲穴の平面形状は前記光源から見て左右対称となる略逆三角形状であり、前記光源を、前記逆三角形の２つ等辺のなす頂点と対向する位置であって、前記導光部材の平面形状を略四角形とし、そのコーナーに近接して設け、かつ、前記光源と対向する部分の前記導光部材の両側に前記導光部材の厚み方向に略平行な略円弧状の溝よりなる反射部を設けたことを特徴とする。
【０００８】
上記の課題を解決するためにその第２の手段として本発明は、前記第１の手段おいて、前記略逆三角形状の盲穴の前記光源に面する２辺が放物面の一部により形成されていることを特徴とする。
【０００９】
上記の課題を解決するためにその第３の手段として本発明は、前記第１又は第２の手段において、前記盲穴の底面が前記導光部材の下面に対し傾斜し、前記盲穴の深さが前記光源からの距離に応じて深くなるように設定されていることを特徴とする。
【００１０】
上記の課題を解決するためにその第４の手段として本発明は、前記第１、第２又は第３の手段において、前記光源からの光は、前記盲穴の前記光源に面する２辺の放物面により反射して左右に振り分けられ前記反射部の反射屈折を経る第１のルートと、前記盲穴の底面の下側の前記導光部材のバイパス部を経る第２ルートと、前記盲穴の左右を経る第３のルートとを有し、前記３つのルートの光の量の割合を前記盲穴の左右の幅、深さ、前記バイパス部の厚みの比率により設定するようにしたことを特徴とする。
【００１１】
上記の課題を解決するためにその第５の手段として本発明は、前記第１乃至第４の手段のいずれかにおいて、前記導光部材の第２の主面の少なくとも一部は前記第１の主面に対し傾斜し、前記光源より遠ざかるに従って導光部材の厚みが減少することを特徴とする。
【００１２】
上記の課題を解決するためにその第６の手段として本発明は、前記第１の手段乃至第５の手段のいずれかにおいて、前記導光部材に設けた盲穴は前記第１の主面に開口を有し、前記第２の主面には開口を有さず、その平面形状は前記光源から見て略逆三角形をなす形状であり、且つ前記光源をその逆三角形の頂点と対向する位置に配したことを特徴とする。
【００１６】
上記の課題を解決するためにその第１０の手段として本発明は、前記第１の手段乃至第９の手段のいずれかにおいて、前記導光部材の第２の主面に設けた光拡散手段はシボまたは複数個の点状ドットのくぼみであることを特徴とする。
【００１８】
上記の課題を解決するためにその第１２の手段として本発明は、前記第１の手段乃至第１１の手段のいずれかにおいて、前記光源はＬＥＤであることを特徴とする。
【００１９】
上記の課題を解決するためにその第１３の手段として本発明は、前記第１２の手段において、前記ＬＥＤは白色ＬＥＤであることを特徴とする。
【００２０】
上記の課題を解決するためにその第１４の手段として本発明は、前記第１２の手段において、前記ＬＥＤは前記導光部材の厚み方向に縦に配置された色の異なる複数のＬＥＤであることを特徴とする。
【００２１】
上記の課題を解決するためにその第１５の手段として本発明は、前記第１４の手段において、前記ＬＥＤはＲ、Ｇ、Ｂの３色のＬＥＤであることを特徴とする。
【００２２】
上記の課題を解決するためにその第１６の手段として本発明は、透光材よりなり板状の形状をなし、第１の主面を出光面とし、該第１の主面と対向する第２の主面に光拡散手段を設けた導光部材と、該導光部材の側面に近接して配した光源とを有するエッジライト方式の面状光源ユニットにおいて、前記導光部材に前記光源の出射光を屈折、反射する機能を有する厚み方向にくぼんだ盲穴を複数個設け、該盲穴の各々に対向して、それぞれ別々の前記光源を配したことを特徴とする。
【００２４】
上記の課題を解決するためにその第１８の手段として本発明は、前記第１の手段乃至第１７の手段のいずれかにおいて、前記導光部材の第２の主面および又は前記光源と対向する部分の両側の側面に対向又は接触して反射シートや銀蒸着等による反射部材を設けたことを特徴とする。
【００２５】
【発明の実施の形態】
以下に、図面に基づいて本発明の一実施の形態を説明する。本実施の形態は面状光源ユニットに関するものである。図１は本実施の形態に係る面状光源ユニットの構成を示す斜視図であり、図２はその断面図であり、（ａ）は図１のＡーＡ断面図、（ｂ）はＢーＢ断面図である。図１において１０は面状光源ユニットであり、導光部材１と光源であるＬＥＤ２および反射板３により構成されている。導光部材１には光屈折及び光反射する機能を有する略逆三角形の平面形状の盲穴４が後述する出光面１ｂである上面に開口するように設けられている。前記盲穴４はＬＥＤ２の略直上に配設されている。そして盲穴４の形状はＬＥＤ２に面する２辺（面）は略放物面４ａの形状をしている。放物面４ａの焦点から出た光は放物面４ａに当たると全反射により、放物面の軸線に平行な光となる。従って、ＬＥＤ２を放物面４ａの焦点に配置することにより、放物面４ａを反射した光を殆ど平行光線として左右に振り分けることができる。
【００２６】
前記導光部材１の入射部５の形状は半円形の逃げ部でありその両側の突き出した部分の側面１ｄには厚み方向に平行な複数の円弧溝よりなる反射部６が形成されている。この反射部６の溝は光源のＬＥＤから遠ざかるほど密に配置させている。なお、本例に示した反射部は円弧溝よりなるものであるが、この代わりに乱反射を起こす粗面等を部分的、又は全体的に側面に形成することにより、反射部としてもよい。
【００２７】
前記導光部材１の一方の広い面を出光面１ｂとし、その出光面１ｂと対向する面にはＬＥＤ２からの光を前記出光面１ｂに向け乱反射させるための放射手段として、その表面に複数の微小なシボ又は複数個の点状ドットのくぼみ等よりなる光拡散面１ａを形成する。前記光拡散面１ａに接近して白色シート等の反射板３を配設することは従来技術と同様である。この反射板３の代わりに銀蒸着膜等を光拡散面１ａに付着させても同様の効果が得られる。又、図示は省略するが、必要に応じて、導光部材１の前記円弧溝よりなる反射部６が形成されている側面１ｄもしくはその他の側面に対向又は接触して、反射シートや銀蒸着等による反射部材を設けることもできる。上記した逆三角形の盲穴４以外に、その左右の所望の位置に図示しない複数個の貫通穴又は盲穴を形成し、自由に光の放射方向を調整することができる。なお、本実施の形態に用いるＬＥＤはＲ、Ｇ、Ｂのいずれか１色のＬＥＤであってもよいし、又、白色ＬＥＤであってもよい。
【００２８】
図２（ａ）に示すように、盲穴４の底面４ｃは導光部材１の下面１ａと平行であり、その下側にには導光部材１のバイパス部１ｃが存在している。以上の構成により、面状光源ユニットの作用につき説明する。図１に示すように前記ＬＥＤ２から射出する光は導光部材１に入り、その一部は第１のルート▲１▼として前記盲穴４の放物面４ａで反射され、他の一部は図２（ａ）に示すように、第２のルート▲２▼として盲穴４の下側の前記バイパス部１ｃに入る。更に残りのものは図１に示すように、第３のルート▲３▼として、放物面４ａおよび盲穴４の下側のバイパス部１ｃ以外の部分を通って、すなわち、盲穴４の左右をすり抜けて導光部材１の主要発光部分に入る。
【００２９】
第１のルート▲１▼として放物面４ａで反射された光は図１に示すように円弧溝よりなる反射部６において、屈折、反射され、点光源があたかも線光源となるように、光路変換により左右に広げられ、広げられたその光が図２（ｂ）に示すように、導光部材１の上面である出光面１ｂ又は下面である光拡散面１ａに入射し、上面では全反射、下面では全反射もしくはシボ、点状ドットのくぼみ等による散乱反射又は、透過光を下部の前記反射板３で散乱し、出光面１ｂより、照明光として出射する。この際、反射部６に入射する光の輝度は立体角の関係でＬＥＤから遠ざかるほど低下する傾向にある。しかし、前記のように、反射部６の複数の溝の密度はＬＥＤから遠ざかるほど密となっているので反射部６から導光部材１内に反射される光の輝度はその左右の端部近傍においても低下しないようになっている。
【００３０】
なお、上記したように、反射部６が形成されている側面に対向又は接触して反射シート等の反射部材をが設ける場合には、反射部６又はこれら側面からの透過光を反射シート等により散乱して再び導光部材１内に戻し、光路変換の効率を高め、最終的には照明光の明るさを上げる効果を有する。
【００３１】
第２のルート▲２▼として、バイパス部１ｃに入った光は盲穴４の底面４ｃで全反射され、これと対向する導光部材１の下面である光拡散面１ａでは全反射もしくはシボ、点状ドットのくぼみ等による散乱反射又は、透過光を下部の前記反射板３で散乱し、これらの反射、散乱を繰り返しながら前記バイパス部１ｃを通過した後、上記したのと同様の原理により出光面１ｂより照明光として出射する。次に第３のルート▲３▼として盲穴４の左右を通って導光体１の主要発光部分に入った光は導光部材１の上面である出光面１ｂ又は下面である光拡散面１ａに入射し、上面では全反射、下面では全反射もしくはシボ、点状ドットのくぼみ等による散乱反射又は、透過光を下部の前記反射板３で散乱し、出光面１ｂより、照明光として出射する。
【００３２】
このように出光面１ｂからは３種類のルートを通った光が出射することになるが、前記の放物面４ａで反射される第１のルート▲１▼によるものは、左右に振り分けられるため、出光面１ｂのうち中央よりも左右の部分において光の輝度が大となる傾向がある。第３のルート▲３▼によるものも盲穴４の左右を通るため、同様に、出光面１ｂのうち中央よりも左右の部分において光の輝度が大となる傾向がある。これに対しバイパス部１ｃを通過する第２のルート▲２▼によるものは、主として中央を通過するため出光面１ｂのうち左右の部分よりも中央の部分において光の輝度が大となる傾向がある。
【００３３】
そこで、前記第１▲１▼および第３のルート▲３▼による光の量と第２のルート▲２▼による光の量の割合を適切に選定することにより、互いにその輝度の特性を補完し合うようにすることにより、出光面１ｂ全体における照明のための出射光の輝度を均一又は略均一のものとすることができる。このような輝度のバランスは、例えば、前記盲穴４の左右方向の幅や、その深さｔ１とバイパス部１ｃの厚みｔ２の比率を適切に選択することにより達成することができる。又、この際、照明光の輝度の均一化のために下面１ａのシボの粗さを変えたり、点状ドットのくぼみの形状、密度を場所により変えたりすることは従来技術と同様の作用をなすものである。このようにして、導光部材１の出光面１ｂから出射した照明光は液晶パネル７を透過し、輝度ムラのない照明がなされる。
【００３４】
以下に、図面に基づいて本発明の他の一つ実施の形態をとして、図１に示した面状光源ユニットの変型例について説明する。図３は本変型例に係る面状光源ユニットの構成を示す断面図である。図３に示す各要素の記号は図２（ａ）の対応する要素の記号と同様である。図３に示すように、本変型例の面状光源ユニット１０においては、盲穴４の底面４ａは導光部材１の下面１ａに対し傾斜し、盲穴４の深さは光源であるＬＥＤから距離が長くなるに従って深くなるように設定されている。本変型例に係る面状光源ユニットの平面的な形状は図１に示したものと同様である。
【００３５】
次に、本変型例に係る面状光源ユニットの作用につき説明する。その作用は基本的には、図１及び図２に示し、すでに説明したものと同様である。ここで、ＬＥＤ２から導光部材１に入った光のうち第２のルートとしてバイパス部１ｃに入った光はすでに説明したのと同様の原理により、反射、散乱を繰り返しながら前記バイパス部１ｃを通過した後、更に導光部材１の上下面の間の反射、散乱を繰り返しながら出光面１ｂより照明光として出射するのであるが、本変型例においてはバイパス部１ｃの形状が先細りとなっているのでバイパス部を通過する光の量はバイパス部１ｃに入射する光の角度が変わってもあまり変化しない。従って、ＬＥＤ２の位置が多少上下にずれても、バイパス部を通過する光の量は略一定となり、面光源としての照明光の輝度を均一化するために、ＬＥＤ２の位置合わせを過度に厳密に行う必要はなくなり、組立が容易となる。
【００３６】
以下に、図面に基づいて本発明の他の一つ実施の形態をとして、図１に示した面状光源ユニットの他の一つの変型例について説明する。図４は本変型例に係る面状光源ユニットの構成を示す斜視図であり、図５は図４のＣーＣ断面図である。図４、図５の各要素の記号は図１および図２の対応する要素の記号と同様である。図４および図５に示すように、本変型例の面状光源ユニット１０においては、盲穴４より先の導光部材１の下面（光拡散面）１ａの部分は上面（出光面）１ｂに対し傾斜し、光源であるＬＥＤ２から遠ざかるに従って、導光部材１の厚みが減少するようになっている。
【００３７】
図５に示すように、本変型例においては、勾配を有する下面１ａに対し、例えば第１ルート▲１▼の光として反射部６で反射された光が上面１ｂに平行又は略平行に入射した場合であっても、乱反射等により上面１ｂに向けて放射することができる。図４に示す第２のルート▲２▼および第３のルート▲３▼の光についても、同様の効果を得ることができる。このようにして、効率のよい光路変換により、面状光源ユニットの照明の全体の明るさを上げることができる。
【００３８】
以下に、図面に基づいて本発明の他の一つ実施の形態につき説明する。本実施の形態は多色照明のための面状光源ユニットに係るものである。図６は本実施の形態に係る面状光源ユニットの構成を示す断面図である。図６に示すように、導光部材１の断面形状は図３と同様である。又、その導光部材の平面形状については、図示は省略するが、図１と同様であり左右対称である。図６に示すようにＬＥＤ２は、導光部材１の厚み方向に一列に重なって配置されたＲのＬＥＤ２ｒ、ＧのＬＥＤ２ｇおよびＢのＬＥＤ２ｂにより構成されている。これらＬＥＤ２ｒ、ＬＥＤ２ｇ、ＬＥＤ２ｂの平面的な位置は図１に示したＬＥＤ２の位置と同じである。他の点に関しては、図６に示す各要素の記号は図３の対応する要素の記号と同様である。
【００３９】
これらのＬＥＤに関し、導光部材１は左右対称となっているので、各色のＬＥＤを個別に点灯した場合、盲穴４の下のバイパス部１ｃを通過しない光に関しては、導光部材１の出光面１ｂから出射される照明光の輝度の分布は左右対称で且つ均一のものとなる。又、各色のＬＥＤ（２ｒ、２ｇ、２ｂ）は上下にずれているが、バイパス部１ｃの形状が先細りとなっているので、すでに説明した原理により、バイパス部を通過する光の量と他の部分を通過する光の量の比率はＬＥＤの上下に位置に殆ど依存せず、略一定であり、Ｒ、Ｇ、Ｂ各色のＬＥＤからの光はいずれも導光部材１の出光面１ｂから、左右と中央のバランスがとれ、均一な輝度を有する照明光として出射させることができ、液晶パネル７に対する均一な多色（マルチカラー）照明が可能となる。
【００４０】
以下に、図面に基づいて本発明の他の一つの実施の形態を説明する。本実施の形態は入射光を左右に振り分ける作用を有する２個の独立の盲穴を有する導光部材とその各々の盲穴に個別に対向するＬＥＤを備えた面状光源ユニットに関するものである。図７は本実施の形態に係る面状光源ユニットの構成を示す斜視図である。図７に示す各要素の記号は図１の対応する要素の記号と同様である。図７に示すように、本実施の形態に係る面状光源ユニット１０は図１に示した面状光源ユニットを２個並列に結合した形となっている。すなわち、面状光源ユニットの右半分と左半分は同一であり、それぞれが個別の盲穴４、ＬＥＤ２等を備え、それぞれが図１に示した面状光源ユニットと同様の原理により略同等の作用をなす。これにより、面状光源ユニット１０は、広い面積にわたり、場所によらず均一な輝度の照明をなすことが可能となる。ここでは、導光部材１は一体として形成されているが、図１に示した導光部材を２個並列に接合して形成してもよい。
【００４１】
以下に、図面に基づいて本発明の他の一つの実施の形態を説明する。本実施の形態は平面形状が略四角形の導光部材のコーナー部に対向してＬＥＤを設けた面状光源ユニットに関するものである。図８は本実施の形態に係る面状光源ユニットの構成を示す上面図である。図８に示すように本実施の形態においては、略四角形の導光部材１には、その１つのコーナー部に入射部５が設けられ、その内側に入射部５に対し左右対称な放物面を有する盲穴４が設けられている。入射部５の両側の側面１ｄには厚み方向に平行な複数の円弧溝よりなる反射部６が形成されている。ここで、盲穴４の断面形状は図２に示したものと同様である。入射部５に近接してＬＥＤ２が配置されている。
【００４２】
導光部材１の一方の広い面を出光面１ｂとし、その出光面１ｂと対向する面にはＬＥＤ２からの光を前記出光面１ｂに向け乱反射させるための放射手段として、その表面に複数の微小なシボ又は複数個の点状ドットのくぼみ等よりなるなる光拡散面１ａが形成されている。前記光拡散面１ａに接近して白色シート等の反射板３が設けられている。
【００４３】
ＬＥＤ２からの発光は入射部５から導光部材１に入り、盲穴４と反射部６の作用により、図１に示した面状光源ユニットと基本的には同様の原理により、点状光源が直接に、又は線状光源への変換を経て、最終的には面状光源へと光路変換され、導光部材１の上面の主要部分である出光面１ｂから均一な輝度の照明光として出射される。
【００４４】
【発明の効果】
以上に述べたように本発明によれば、エッジライト方式の面状光源ユニットにおいて光源として１個又は小数のＬＥＤ等の点状光源を用い、導光部材に入射光を左右に振り分けるとともに、一部を通過させる作用を有する盲穴を設けることにより、光源からの光を、効率よい光路変換により一様に広げ、線状光源のように指向性のない状態としてから、導光部材の上下の面に放射し出射面から、輝度の均一な面状の光束を出射することができるようにする。これにより、照明光が均一であり、且つ、光源のコストおよび消費電力の低減がなされた、安価な面状光源ユニットを提供することが可能となる。
【図面の簡単な説明】
【図１】本発明の一実施の形態に係る面状光源ユニットの構成を示す斜視図である。
【図２】図１に示す面状光源ユニットの断面図である。
【図３】図１に示す面状光源ユニットの変型例を示す断面図である。
【図４】図１に示す面状光源ユニットの他の一つの変型例を示す斜視図である。
【図５】図４のＣーＣ断面図である。
【図６】本発明の他の一つの実施の形態に係る面状光源ユニットの構成を示す断面図である。
【図７】本発明のもう一つの実施の形態に係る面状光源ユニットの構成を示す斜視図である。
【図８】本発明の更なる一つの実施の形態に係る面状光源ユニットの構成を示す斜視図である。
【図９】従来の面状光源ユニットの構成を示す斜視図である。
【図１０】図９に示す面状光源ユニットの断面図である。
【符号の説明】
１  導光部材
１ａ  光拡散面
１ｂ  出光面
１ｃ  バイパス部
１ｄ  側面
２  ＬＥＤ
３  反射板
４  盲穴
４ａ  放物面
５  入射部
６  反射部
７  液晶パネル
１０  面状光源ユニット
【図１】
0004367800.tif 000002
【図２】
0004367800.tif 000003
【図３】
0004367800.tif 000004
【図４】
0004367800.tif 000005
【図５】
0004367800.tif 000006
【図６】
0004367800.tif 000007
【図７】
0004367800.tif 000008
【図８】
0004367800.tif 000009
【図９】
0004367800.tif 000010
【図１０】
0004367800.tif 000011